(57)【要約】【課題】端子の収容順序が決められている事により、安全性を向上させた端子を収容可能な電源プラグを提供する。【解決手段】本考案による電源プラグは、ベースと、第１枢着部材と、第２枢着部材と、第１端子と、第２端子と、第３端子とを含む。ベースは収容部を有し、第１枢着部材と第２枢着部材とが収容部内に設けられ、第１端子と第２端子とが、第１枢着部材の回動に伴い収容部内に収容される。第１枢着部材の側方側且つ、第１端子と第２端子との間に位置する凹溝を有し、第３端子が第２枢着部材の回動に伴い凹溝内に収容される。【選択図】図１Ａ
0003164277.tif 000002
【実用新案登録請求の範囲】
【請求項１】
収容部を有するベースと、
前記収容部内に回動可能に設けられ、凹溝を有する第１枢着部材と、
前記凹溝の両側にそれぞれ位置し、各一端が前記第１枢着部材にそれぞれ挿設され、前記第１枢着部材の回動に伴い前記収容部内に収容される第１端子及び第２端子と、
前記収容部内に回動可能に設けられる第２枢着部材と、
一端が前記第２枢着部材に挿設され、前記第１端子と前記第２端子とが前記収容部内に収容された際、前記第２枢着部材の回動に伴い前記凹溝内に収容される第３端子とを含む電源プラグ。
【請求項２】
前記第１及び第２枢着部材の両端に枢軸をそれぞれ有し、前記ベースは、前記枢軸に対応する位置に枢着孔と、挿入口とを有し、前記電源プラグは、充電器または電源アダプタであることを特徴とする請求項１に記載の電源プラグ。
【請求項３】
収容部を有するベースと、
前記収容部内に回動可能に設けられ、凹溝を有する第１枢着部材と、
前記凹溝の両側にそれぞれ位置し、各一端が前記第１枢着部材にそれぞれ挿設され、前記第１枢着部材の回動に伴い前記収容部内に収容される第１端子及び第２端子と、
前記収容部内に回動可能に設けられる第２枢着部材と、
前記第１枢着部材と前記第２枢着部材との間に設けられ、前記第１枢着部材の回動に連動して前記第２枢着部材を同期的に逆方向回動させる連動部材と、
一端が前記第２枢着部材に挿設され、前記第２枢着部材の回動に伴い前記凹溝内に収容される第３端子とを含む電源プラグ。
【請求項４】
前記連動部材は、前記第１枢着部材に設けられた第１歯車部及び前記第２枢着部材に設けられた第２歯車部であり、前記第１歯車部と前記第２歯車部とが噛合されることを特徴とする請求項３に記載の電源プラグ。
【請求項５】
前記連動部材は、前記第１枢着部材に設けられた凸部であり、
前記第１端子、第２端子及び第３端子が直立すると、前記凸部が前記第２枢着部材に当接し、前記第１端子及び前記第２端子が前記第３端子側方向に回動する際、前記凸部が前記第２枢着部材から離れ、前記第１端子、第２端子及び第３端子が前記収容部内に回動して収容され、前記第１端子と前記第２端子とが傾斜から直立するまでの過程において、前記凸部が第１枢着部材の回動に伴い前記第２枢着部材を逆方向に回転させるように押圧することを特徴とする請求項３に記載の電源プラグ。
【請求項６】
前記連動部材は、ストッパであり、前記ストッパの下方に弾性素子が設けられ、
前記第１端子、第２端子及び第３端子が直立すると、前記弾性素子が、前記ストッパを前記第２枢着部材に当接させるように押圧し、前記第１端子と前記第２端子とが前記第３端子側方向に回動する場合、前記第１枢着部材が前記ストッパを下降させるように押圧し、前記ストッパを前記第２枢着部材から分離させ、前記第１端子、第２端子及び第３端子が前記収容部内に回動可能に収容されることを特徴とする請求項３に記載の電源プラグ。
【考案の詳細な説明】
【技術分野】
【０００１】
本考案は、電源プラグに関し、特に、端子を収納可能な電源プラグに関するものである。
【背景技術】
【０００２】
現在の電源プラグは、接地端子を曲折して電源プラグ内に収納させる構造にまで発展し、３端子付きプラグが、接地端子を簡単に曲折することにより両孔型コンセントに適用できるようになっている。しかし、アースのないプラグは、使用時に漏電等の安全上の問題があり、プラグを安全に使用するとともに収納し易くすることは、本領域の技術者にとっての研究課題となっている。
【考案の概要】
【考案が解決しようとする課題】
【０００３】
したがって、本考案の目的は、従来の電源プラグが使用時に安全上の問題があることを解決するため、端子を交互に収納でき且つ収納順番のある電源プラグを提供することにある。
【課題を解決するための手段】
【０００４】
前記目的を達成するため、本考案に係る電源プラグは、ベースと、第１枢着部材と、第２枢着部材と、第１端子と、第２端子と、第３端子とを含み、前記ベースは収容部を有し、前記第１枢着部材は凹溝を有する。前記第１端子と前記第２端子は、前記第１枢着部材の回動に伴い前記収容部内に選択的に収容され、前記第３端子は、前記第２枢着部材の回動に伴い前記凹溝内に選択的に収容される。また、前記第３端子は、前記第１端子と前記第２端子とが前記収容部内に収容されたときにのみ前記収容部内に選択的に収容される。つまり、前記第１端子と前記第２端子とを先に収容してから前記第３端子を収納する。
【考案の効果】
【０００５】
本考案に係る電源プラグは、電源プラグがコンセントに接続されるときに、前記第３端子を前記収容部から外に回転しなければ、前記第１端子と前記第２端子とを使用できないような構造となっており、漏電を防止する事ができる。
【０００６】
詳細な内容及び実施形態について、以下の図面を参照しながら説明する。
【図面の簡単な説明】
【０００７】
【図１】図１Ａ〜図１Ｃは、本考案に係る電源プラグの第１実施例を示す図である。
【図２】図２は、本考案に係る電源プラグの第２実施例を示す図である。
【図３】図３は、本考案に係る電源プラグの連動部材の実施例を示す図である。
【図４】図４は、本考案に係る電源プラグの連動部材の他の実施例を示す図である。
【図５】図５は、本考案に係る電源プラグの連動部材の他の実施例を示す図である。
【図６】図６は、本考案に係る電源プラグの第３実施例を示す図である。
【考案を実施するための形態】
【０００８】
図１Ａ〜図１Ｃは、本考案に係る電源プラグの第１実施例を示す図である。図１Ａに示すように、電源プラグ１は、ベース１００と、第１端子１１１と、第２端子１１３と、第３端子１１５と、第１枢着部材１３１と、第２枢着部材１３３とを含む。ベース１００は収容部１０１を有し、第１枢着部材１３１と第２枢着部材１３３は収容部１０１内に回動可能に設けられる。第１端子１１１と第２端子１１３とは第１枢着部材１３１の両端側に位置し、第１端子１１１の一端と第２端子１１３の一端がそれぞれ第１枢着部に挿設される。また第３端子１１５の一端は第２枢着部材１３３内に挿設される。
【０００９】
本実施例における収容部１０１の大きさは、第１枢着部材１３１と第２枢着部材１３３とを丁度収容可能な大きさとなっており、第１端子１１１が第１枢着部材１３１の一端から露出し、第２端子１１３が第１枢着部材１３１の他端から露出している。第１端子１１１と第２端子１１３とが第１枢着部材１３１の回動に伴い収容部１０１内に収容される。すなわち、第１端子１１１と第２端子１１３とが第１枢着部材１３１の回動角度によりベース１００に対して露出またはその中に収容されるようになる。
【００１０】
ベース１００から露出された場合、第１端子１１１と第２端子１１３とがベース１００の表面に直立する（図１Ａ参照）。ベース１００内に収容される場合、第１端子１１１及び第２端子１１３、はベース１００の表面と角度をなすように傾斜すし、図１Ｂに示すように、ベース１００の表面と０°をなすように、収容部１０１内に収容される。第３端子１１５は、第２枢着部材１３３の回動角度によりベース１００に対して直立するまたはベース１００の表面と同角度をなすように傾斜する。すなわち、図１Ｂに示すように、第３端子１１５は、ベース１００の表面と０°をなすように、収容部１０１内に収容される。
【００１１】
第１端子１１１と第２端子１１３と第３端子１１５とが収容部１０１内に収容される際、第１端子１１１及び第２端子１１３は、第３端子１１５に向って傾動し、第３端子１１５は、第１端子１１１及び第２端子１１３に向かって傾動すると共に、第１端子１１１と第２端子１１３との間に収容される。すなわち、第３端子１１５と第１端子１１１及び第２端子１１３とは交互に収容される。
【００１２】
本考案の特徴は、第１枢着部材１３１が凹溝１４０を有し、凹溝１４０が第１枢着部材１３１の一方（側方）側に設けられ、且つ、凹溝１４０が第１端子１１１と第２端子１１３との間に位置される。第１端子と第２端子とが第１枢着部材１３１の回動に伴い収容部１０１内に収容されたとき、凹溝１４０が第３端子１１５を収容できる。
【００１３】
凹溝１４０の設置位置は、第１端子１１１及び第２端子１１３が立てられたままのとき、すなわち、第１端子と第２端子とが収容部１０１内になお収容されていないとき、第３端子１１５が凹溝１４０内に収容されることを防ぐ。つまり、第３端子１１５を最後に収容することにより、第１端子１１１及び第２端子１１３が単独に使用されることによる漏電を防止する効果を果たす。
【００１４】
本実施例では、第１枢着部材１３１の両端に第１枢軸１５１をそれぞれ有すると共に、ベース１００の内側には２つの第１枢軸１５１に対応する第１枢着孔１５３をそれぞれ備える。また、第２枢着部材１３３の両端に第２枢軸１５５をそれぞれ有すると共に、ベース１００の内側には２つの第２枢軸１５５に対応する第２枢着孔１５７をそれぞれ備える。
【００１５】
これにより、第１枢着部材１３１及び第２枢着部材１３３は回動可能となり、第１端子１１１、第２端子１１３及び第３端子１１５をベース１００に対し露出または収納させることができる。また、第１枢軸１５１と第１枢着孔１５３とは、逆であっても良く、第１枢着部材１３１の両端に第１枢着孔１５３をそれぞれ有すると共に、ベース１００の内側に第１枢着孔１５３に対応する第１枢軸１５１をそれぞれ備えても良い。第２枢軸１５５及び第２枢着孔１５７についても同様に第２枢着部材１３３の両端に第２枢着孔１５７をそれぞれ有すると共にベース１００の内側に第２枢着孔１５７に対応する第２枢軸１５５を備えても良い。
【００１６】
図１Ｂに示すように、第１端子１１１と第２端子１１３とが収容部１０１内に収容されたとき、第１端子１１１と第２端子１１３とが第２枢着部材１３３の両端側に位置し、第３端子１１５は、第１端子１１１と第２端子１１３とが収容部１０１内に収容された場合にのみ凹溝１４０内に収容できるようになっている。
【００１７】
つまり、第３端子１１５を凹溝１４０内に収容する際、第１端子１１１と第２端子１１３とは既に収容部１０１内に収容されていなければならず、ユーザーは、第１端子１１１及び第２端子１１３の収容部１０１から露出された部分を引き起こすことにより第１端子１１１と第２端子１１３とを直立状態まで回復させる。この際、第１枢着部材１３１の回動により第３端子１１５はベース１００の表面に対して大きな傾斜角度を有するまで押し上げられ、第３端子１１５は凹溝１４０から露出する。これにより、ユーザーは第３端子１１５を容易に引き起こす事ができる。
【００１８】
電源プラグ１は、あらゆるプラグのある電気製品またはプラグのある延長コードに適用でき、ベース１００は、あらゆる形状の絶縁体であり、第１端子１１１、第２端子１１３及び第３端子１１５は、金属導電シートであり、第１端子１１１をホット端子、第２端子１１３を中性端子、第３端子１１５を接地端子とする。第１端子１１１及び第２端子１１３の極性は、互いに切り替えることができる。
【００１９】
図２は、本考案に係る電源プラグの第２実施例を示す図である。図２に示すように、電源プラグ１’は、第１実施例と略同じであり、その違いは、限られた挿入口の数を増やすため、電源プラグ１’が充電器または電源アダプタとなっている点である。本実施例では、ベース１００’は、複数の挿入口１７０を有し、同一または異なるタイプの他の電源プラグ、（例えば、USBインターフェースなど）を差し込むことができる。
【００２０】
以下に、幾つかの第１枢着部材１３１により第２枢着部材１３３を連動して回転させる実施方式、すなわち、第１枢着部材１３１と第２枢着部材１３３との間に連動部材を有し、第１枢着部材１３１の回動に伴い第２枢着部材１３３が連動して回動する方法を説明する。
【００２１】
図３は、本考案に係る電源プラグの連動部材の実施例を示す図である。図３に示すように、凸部１３５は連動部材であり、第１枢着部材１３１の一方側（第２枢着部材１３５側）に設けられる。第１端子１１１、第２端子１１３及び第３端子１１５がいずれも立てられると、凸部１３５は第２枢着部材１３３に当接し、第１端子１１１及び第２端子１１３が第１枢着部材１３１の回動に伴い第３端子１１５方向に向かったときに、凸部１３５は第２枢着部材１３３から離れ、第２枢着部材１３３が回動可能になる。
【００２２】
第１端子１１１と第２端子１１３とが収容部１０１内に収容される、すなわち、第１枢着部材１３１が最大角度まで回動された場合、凸部１３５も収容部１０１内に収容される。この際、凸部１３５は第２枢着部材１３３と接していない。第１端子１１１と第２端子１１３とが傾斜状態から直立するまでの過程において、凸部１３５が第１枢着部材１３１の回動により第２枢着部材１３３と再び接するとともに、第１枢着部材１３１の回動に伴い、第２枢着部材１３３を逆方向に回転させるように押圧する。
【００２３】
図４は、本考案に係る電源プラグの連動部材の実施例を示す図である。図４に示すように、ストッパ１９１は、連動部材であり、第１枢着部材１３１と第２枢着部材１３３との間に収容部１０１内を昇降可能に設けられる。また、ストッパ１９１の下方には弾性素子１９３が設けられる。第１端子１１１と第２端子１１３とが内側（第３端子１１５）方向に回動する際、第１枢着部材１３１がストッパ１９１を下降させるように押圧し、第１端子１１１と第２端子１１３とが収容部１０１内に収容されるまで回動した時、ストッパ１９１は一番下まで押し下げられ、第２枢着部材１３３から離れる。これにより第３端子１１５が凹溝１４０内に収容される。
【００２４】
第１端子１１１、第２端子１１３及び第３端子１１５が完全に直立すると、弾性素子１９３が、ストッパ１９１を第２枢着部材１３３に当接させるように押し付けて復位させる。弾性素子１９３は、ばねまたは板ばねなどであり、収容部１０１は、ストッパ１９１の昇降をロックまたは解放するためのロック手段（図示せず）を更に備える。
【００２５】
図５は、本考案に係る電源プラグの連動部材の実施例を示す図である。図５に示すように、連動部材は、第１枢着部材１３１と第２枢着部材１３３とにそれぞれ設けられた第１歯車部１３８及び第２歯車部１３９である。第１歯車部１３８と第２歯車部１３９とは互いに噛合され、第１枢着部材１３１と第２枢着部材１３３とを同期的に逆方向回動させる。すなわち、第１端子１１１、第２端子１１３及び第３端子１１５が同期的に直立または傾斜され、第３端子１１５が単独で収納されないように設けられている。なお、第１歯車部１３８及び第２歯車部１３９は、それぞれ、全歯車または一部の歯車である。
【００２６】
図６は、本考案に係る電源プラグの第３実施例を示す図である。図６に示すように、第３実施例は、第１実施例と略同じであり、その違いは、電源プラグ２には、第１枢着部材２３１と第２枢着部材２３３と第３枢着部材２３５の３つの枢着部材を有する点である。第１枢着部材２３１と第２枢着部材２３３と第３枢着部材２３５とは収容部２０１内にそれぞれ回動可能に収容され、凹溝２４０が第１枢着部材２３１または第２枢着部材２３３に設けられる。
【００２７】
凹溝２４０が第１枢着部材２３１に設けられた場合、第１枢着部材２３１に設けられたホット端子２１１が収容部２０１内に収容された際、接地端子２１５が凹溝２４０内に収容される。一方、凹溝２４０が第２枢着部材２３３に設けられた場合、第２枢着部材２３３に設けられた中性端子２１３が収容部２０１内に収容された際、接地端子２１５が凹溝２４０内に収容される。
【００２８】
第３実施例では、凹溝２４０を有する第１枢着部材２３１または第２枢着部材２３３のうち一つと第３枢着部材２３５との間にも、図３〜図５のうち一つの連動部材（図示せず）、例えば、凸部や、ストッパ、歯車部を有する。例えば、凹溝２４０が第１枢着部材２３１に設けられた場合、連動部材は、第１枢着部材２３１と第３枢着部材２３５とを同期的に逆方向回動させ、ホット端子２１１及び中性端子２１３が単独に使用されないように設けられている。
【符号の説明】
【００２９】
１、１’、２電源プラグ
１００、１００’、２００ベース
１０１、２０１収容部
１１１第１端子
１１３第２端子
１１５第３端子
１３１、２３１第１枢着部材
１３３、２３３第２枢着部材
１４０、２４０凹溝
１５１第１枢軸
１５３第１枢着孔
１５５第２枢軸
１５７第２枢着孔
１９１ストッパ
１９３弾性素子
１３５凸部
１３８第１歯車部
１３９第２歯車部
１７０挿入口
２３５第３枢着部材
２１１ホット端子
２１３中性端子
２１５接地端子
【図１Ａ】
0003164277.tif 000003
【図１Ｂ】
0003164277.tif 000004
【図１Ｃ】
0003164277.tif 000005
【図２】
0003164277.tif 000006
【図３】
0003164277.tif 000007
【図４】
0003164277.tif 000008
【図５】
0003164277.tif 000009
【図６】
0003164277.tif 000010